(57)【特許請求の範囲】
【請求項１】
扇の先縁部分を外方に向けた略扇形状の左右足置台を、扇の前記先縁部分に設けた枢軸を中心に扇の要部分が上下揺動自在となるように構成すると共に、
略扇形状の前記足置台は、扇の前記要部分に足裏の踵が、扇の前記先縁部分に足裏の爪先が、それぞれ載置されるように構成し、
前記枢軸を中心に左右前記足置台を回動傾斜する際に前記足置台に載置した爪先の開き具合に応じて骨盤に各種衝撃を付与して仙骨を囲繞する腸骨を拡開し仙骨及び腸骨による規制を緩衝して脊椎を介して頭蓋骨を動かし咬合矯正による歯の変位を修正するように構成し、
上下揺動自在に構成した前記足置台の扇の前記要部分が揺動する下方位置には揺動駆動手段を配設し、
前記揺動駆動手段は、前記足置台の扇の前記要部分を強制的に持上げる上昇駆動部と上昇した前記要部分の支持解除により患者の体重を含む自重により降下する降下動部とより構成し、
前記降下動部の下方に衝撃発生部を設け、
前記衝撃発生部は、前記降下動部の下方に設けた受台と扇の前記要部分に垂設した当接体とより構成すると共に、前記足置台が前記患者の体重を含む自重により降下する際に前記当接体が前記受台に衝突して前記足置台の扇の前記要部分に衝撃を繰返して付与する構成としたことを特徴とする歯の治療具。
【請求項２】
前記左右足置台は、前記足置台の扇の前記要部分が各々交互に上下動することを特徴とする請求項１に記載の歯の治療具。
【請求項３】
手摺を備えたことを特徴とする請求項１または２に記載の歯の治療具。
【請求項４】
前記上昇駆動部は、プッシュプルソレノイドで構成したことを特徴とする請求項１乃至３の何れか１項に記載の歯の治療具。
【請求項５】
前記上昇駆動部は、作動半径が漸増し漸増部の終端にて崖状に急減するタペットカムと、前記タペットカムを回動駆動する駆動部とで構成したことを特徴とする請求項１乃至３の何れか１項に記載の歯の治療具。 
【発明の詳細な説明】
【技術分野】
【０００１】
本発明は、短期間内で歯の咬合ズレを人工的に多数回発生させる歯の治療具に関する。
【背景技術】
【０００２】
従来、歯の咬合矯正をする際には、咬合ズレの部分を切削して正しい咬合に矯正する。また、歯の咬合バランスと骨盤や背骨の正・不正とは、相互に密接に関連している。例えば、左右の脚の長さの相違は骨盤の歪みによって起こるが、歯の咬合矯正を行い咬合バランスを改善することによって、その異常を改善できる（特許文献１、非特許文献１）。また、背骨の側弯症は、ケースによっては歯の咬合バランスを改善することにより、その背骨の歪みが改善できる。
【０００３】
しかし、腸骨と仙骨及び恥骨によって構成される骨盤や３２個の部分によって構成される脊椎の歪みが、一回の咬合矯正によって改善されるわけではない。長年の咬合ズレによって惹起されたそれらの歪みは硬化し、複数回の咬合矯正によって徐々に改善されていく。
【０００４】
つまり、発明者の研究によれば、咬合矯正を行うことによって、上下の顎や顎関節に付着している咀嚼筋群の筋肉の緊張バランスが変化する。その結果、それら咀嚼筋群に連動している骨盤や背骨に付着している全身の骨格筋群の筋肉の緊張バランスが変化し、不正な異常緊張が改善され、ストレスが改善され、それまであったそれら全身の骨格筋群の異常緊張によってもたらされていた筋肉の凝りや痛みが改善され、さらに、背骨の終点に位置する脳幹の機能が改善され、低体温や視力、平衡バランス機能の改善や指筋力の向上に示されるような全身的な不調や不定愁訴が改善される。
【０００５】
このような咬合矯正の初期段階では、全身の骨格筋群の異常緊張は解消し、脳幹機能も改善され、全身の凝りや痛み、不調や不定愁訴は改善するが、一時的にそれまで平衡状態にあった、骨盤や背骨の歪みとそれらの歪みを引き起こしていた全身の骨格筋群との調和が崩れ、アンバランスな状態となる。これは、全身の骨格筋群が不正に異常緊張していたため、それに符合する骨盤や背骨の歪みを引き起こしていたものが、筋肉の異常緊張がなくなったため、歪んだ骨盤や背骨とは、不調和な状態となるのである。すなわち、骨盤や背骨等の骨は、筋肉よりも遅れて反応するのである。
【０００６】
従って、身体は調和を求めて、骨盤や背骨は歪みが是正された状態に変化しようとする。その変化によって、再び、骨盤や背骨に付着していた全身の骨格筋群のバランスは変化し、異常緊張を生じる。その変化はそれら筋肉群に連動する咀嚼筋群に伝えられ、顎に付着する咀嚼筋群もバランスが変化し、その結果、咬合バランスが変化して咬合ズレを生起する。
【０００７】
そこで、再度、咬合矯正を行うことによって、咀嚼筋群、全身の骨格筋群、骨盤や背骨の歪みの改善、脳幹機能の改善の順で、全身的な改善効果を得ることができるのである。このサイクルを多数回行うほど、より良い咬合バランスに導けると同時に、安定した全身症状の改善をもたらすことができるのである。このことは、発明者によって、２１年間に渡る９０００症例を超える臨床実践によって確認されている。
【０００８】
そのため、咬合バランスを改善した後の時間経過の中で、すなわち日常生活をしていく中で、徐々に骨盤や背骨の歪みを改善させ、咬合ズレを生起させた後、再び咬合矯正を行うしかなかった。
【先行技術文献】
【特許文献】
【０００９】
【特許文献１】特開２００３−２３５８７７号公報
【非特許文献】
【００１０】
【非特許文献１】村津和正著，「歯は臓器だった」，株式会社ＫＯＳ
【発明の概要】
【発明が解決しようとする課題】
【００１１】
上述したように、従来は、咬合ズレの部分を切削して正しい咬合に矯正しても、時間の経過と共に咬合ズレを生起するので、一貫した咬合矯正治療が行えないという欠点を有していた。そのため、短期間経過の中で咬合矯正を迅速に行う治療が望まれていた。すなわち、短期間で長期間経過後の咬合ズレと同じ咬合ズレを生起させると、短期間内でその咬合ズレを多数回矯正して期間経過後には咬合ズレが再発しないような歯の矯正治療が望まれていた。
【００１２】
本発明は、このように短期間内で咬合ズレを人工的に多数回発生させる器具に関するものであり、この器具を用いて咬合ズレを生起させ、その都度、矯正治療を行い、最終的に短期間で正しい咬合となるような治療が可能となる。
【００１３】
そこで、短期間内に咬合ズレを人工的に発生させるための器具として本発明の歯の治療具を提供するものであり、その原理は、患者が足置台上に直立不動の姿勢で立ち、足置台の上下昇降を繰返しながら患者に降下衝撃を付与して患者の骨盤に衝撃に伴う刺激を伝え、その骨盤刺激によって咬合ズレを人工的に生起するものであり、一回の機械的衝撃に伴い発生する骨盤刺激後の咬合ズレを矯正し、その後、多数回の刺激、及び矯正を繰返すことにより、長期間での咬合ズレの発生・治療と同じ効果を生起するものである。
【００１４】
本発明は、以上のような事情に鑑みてなされたものであり、歯の研削治療後の結果を短時間で確認できる歯の治療具を提供することにある。
【課題を解決するための手段】
【００１５】
以上のような目的を達成するために、本発明は以下のような歯の治療具を提供する。
【００１６】
請求項１に係る発明では、扇の先縁部分を外方に向けた略扇形状の左右足置台を、扇の前記先縁部分に設けた枢軸を中心に扇の要部分が上下揺動自在となるように構成すると共に、略扇形状の前記足置台は、扇の前記要部分に足裏の踵が、扇の前記先縁部分に足裏の爪先が、それぞれ載置されるように構成し、前記枢軸を中心に左右前記足置台を回動傾斜する際に前記足置台に載置した爪先の開き具合に応じて骨盤に各種衝撃を付与して仙骨を囲繞する腸骨を拡開し仙骨及び腸骨による規制を緩衝して脊椎を介して頭蓋骨を動かし咬合矯正による歯の変位を修正するように構成し、、上下揺動自在に構成した前記足置台の扇の前記要部分が揺動する下方位置には揺動駆動手段を配設し、前記揺動駆動手段は、前記足置台の扇の前記要部分を強制的に持上げる上昇駆動部と上昇した前記要部分の支持解除により患者の体重を含む自重により降下する降下動部とより構成し、前記降下動部の下方に衝撃発生部を設け、前記衝撃発生部は、前記降下動部の下方に設けた受台と扇の前記要部分に垂設した当接体とより構成すると共に、前記足置台が前記患者の体重を含む自重により降下する際に前記当接体が前記受台に衝突して前記足置台の扇の前記要部分に衝撃を繰返して付与する構成としたことを特徴とする歯の治療具。
【００１７】
請求項２に係る発明では、前記左右足置台は、前記足置台の扇の前記要部分が各々交互に上下動することを特徴とする請求項１に記載の歯の治療具。
【００１８】
請求項３に係る発明では、手摺を備えたことを特徴とする請求項１または２に記載の歯の治療具。
【００１９】
請求項４に係る発明では、前記上昇駆動部は、プッシュプルソレノイドで構成したことを特徴とする請求項１乃至３の何れか１項に記載の歯の治療具。
【００２０】
請求項５に係る発明では、前記上昇駆動部は、作動半径が漸増し漸増部の終端にて崖状に急減するタペットカムと、前記タペットカムを回動駆動する駆動部とで構成したことを特徴とする請求項１乃至３の何れか１項に記載の歯の治療具。
【発明の効果】
【００２１】
本発明に係る歯の治療具によれば、患者の足を広角度に載置できる足置台の扇の要部分を上下揺動自在とし、患者の踵側を上昇させた後に患者の体重を含む自重落下を受台と当接体とで瞬間的に停止させ、自重落下の衝撃を踵から骨盤にかけて集中して付与し、短時間で咬合バランス効果を骨盤や背骨の歪みの改善効果につなげ、咬合ズレを生起させることができる。
【図面の簡単な説明】
【００２２】
【図１】本発明の実施形態に係る歯の治療具の平面図である。
【図２】（ａ）は本発明の実施形態に係る歯の治療具の背面図で、（ｂ）は正面図である。
【図３】本発明の実施形態に係る歯の治療具の右側面図である。
【図４】本発明の実施形態に係る歯の治療具の使用例を示す図である。
【図５】本発明の第一実施形態に係る歯の治療具の内部機構を示した平面図である。
【図６】（ａ）は足置台の要部分が上昇した状態を示す図５におけるＡ−Ａ断面図で、（ｂ）は足置台の要部分が下降した状態を示す図５におけるＡ−Ａ断面図である。
【図７】本発明の第二実施形態に係る歯の治療具の内部機構を示した平面図である。
【図８】（ａ）は足置台の要部分が上昇した状態を示す図７におけるＢ−Ｂ断面図で、（ｂ）は足置台の要部分が下降した状態を示す図７におけるＢ−Ｂ断面図である。
【図９】手摺を付加した変形例に係る歯の治療具の斜視図である。
【図１０】手摺を付加した変形例に係る歯の治療具の使用例を示す図である。
【発明を実施するための形態】
【００２３】
本発明は、略扇形状の左右足置台を互いに扇の先縁部分が外方を向いた状態で基台に揺動自在に配置し、略扇形状の足置台は、扇の要部分に踵が、扇の先縁部分に爪先がそれぞれ載置されるように構成することにより、足置台の要部分に発生する衝撃が可及的に放射扇形状に分散するようにし、略扇形状の足置台は、扇の先縁部分を中心に扇の要部分が上下揺動自在となるように構成し、上下揺動自在に構成した足置台の扇の要部分が揺動する下方位置には揺動駆動手段を配設し、揺動駆動手段は、足置台の扇の要部分を強制的に持上げる上昇駆動部と上昇した要部分の支持解除により患者の体重を含む自重により降下する降下動部とより構成し、降下動部の下方に衝撃発生部を設け、衝撃発生部は、降下動部の下方に設けた受台と扇の要部分に垂設した当接体とより構成すると共に、足置台が患者の体重を含む自重により降下する際に当接体が受台に衝突して足置台の扇の要部分に衝撃を繰返して付与する構成としたことを特徴とする歯の治療具である。すなわち、患者の足を広角度に載置でき、患者の体重を含む自重落下によって踵から骨盤にかけて衝撃を与え、短時間で咬合バランス効果を骨盤や背骨の歪みの改善効果につなげ、咬合ズレを生起させることができる。
【００２４】
［第一実施形態］
以下、本発明の第一実施形態に係る歯の治療具について図面を参照しながら説明する。
【００２５】
なお、本説明中において、左右同一又は左右対称等の構造や部品については、原則として同一の符号を付し、左右何れか一方のみを説明して、他方については説明を適宜省略する。
【００２６】
図１は第一実施形態に係る歯の治療具１の平面図であり、図２（ａ）は背面図、図２（ｂ）は正面図、図３は右側面図を示している。また、図４は歯の治療具１を実際に使用している様子を示した図である。
【００２７】
本実施形態に係る歯の治療具１は、略扇形状の左右足置台２を互いに扇の先縁部分３が外方を向いた状態で基台４に揺動自在に配置し、略扇形状の足置台２は、扇の要部分５に踵が、扇の先縁部分３に爪先がそれぞれ載置されるように構成することにより、足置台２の要部分５に発生する衝撃が可及的に放射扇形状に分散するようにし、略扇形状の足置台２は、扇の先縁部分３を中心に扇の要部分５が上下揺動自在となるように構成し、上下揺動自在に構成した足置台２の扇の要部分５が揺動する下方位置には揺動駆動手段６を配設し、揺動駆動手段６は、足置台２の扇の要部分５を強制的に持上げる上昇駆動部７と上昇した要部分５の支持解除により患者１００の体重を含む自重により降下する降下動部８とより構成し、降下動部８の下方に衝撃発生部９を設け、衝撃発生部９は、降下動部８の下方に設けた受台１０と扇の要部分５に垂設した当接体１１とより構成すると共に、足置台２が患者１００の体重を含む自重により降下する際に当接体１１が受台１０に衝突して足置台２の扇の要部分５に衝撃を繰返して付与する構成としている。
【００２８】
本治療具１の外観は、矩形板状で４つの角部が面取りされた基台４と、基台４の上に配設された後述する内部機構を略閉塞する平面視略半円弧状のカバー１２と、カバー１２の上面をカバー１２の曲率と同じ曲率で左右に略２分し、カバー１２の上面を越えて突出するように配設された平面視略扇形状の左右２つの足置台２と、カバー１２の上面において本治療具１の背面寄りで２つの足置台２の間に配設された操作パネル１３と、本治療具１の背面においてカバー１２の中央下部から延出する電源コンセント１４によって構成されている。
【００２９】
基台４は、本治療具１の可動時に本治療具１を安定させるために、アルミニウムやステンレス等の金属材料や、アクリルや塩化ビニル等の合成樹脂材料を用いて、材料に応じた板厚で形成することが望ましい。
【００３０】
カバー１２の上面には、足置台２と同形状の略扇形状で足置台２の外形よりも若干だけ大きい足置台セット孔１５を足置台２に応じた左右２箇所に穿設すると共に、操作パネル１３から内部機構に連設するスイッチ等の部品や配線を挿通可能とした操作パネル孔（図示せず）を形成している。また、カバー１２は、薄肉でも軽量で強度が高いＦＲＰやアクリル等の合成樹脂やアルミニウム等の金属材料で形成することが望ましい。
【００３１】
足置台２は板状に形成し、３つの角部が面取りされている。足置台２は、カバー１２の内部において後述する足置台ベース１６の上面に特に固定することなく交換可能なように載置され、足置台ベース１６の動きと足置台２の動きとは連動する。足置台２は、扇の要部分５に踵を、扇の先縁部分３に爪先をそれぞれ載置することで、本治療具１の上に患者１００が起立姿勢となる状態で使用される。
【００３２】
また、略扇形状に形成した足置台２を扇の先縁部分３が外方を向いた状態として左右に配設しているため、患者１００の両爪先を略揃えた状態、すなわち扇の要部分５に載置した踵を支点として両爪先で形成される角度をほとんど有さない状態から、爪先を略１８０°まで開いた状態までを任意に選んで使用することができる。
【００３３】
また、足置台２は、後述する内部機構によって扇の先縁部分３を中心に扇の要部分５が上下揺動し、下降時に患者１００の体重を含む自重によって落下するように構成されている。更に、下降端では落下を急停止させ踵側に衝撃を繰返して付与することができるように後述する衝撃発生部９を備えている。
【００３４】
また、左右足置台２を略扇形状としているため、足置台２の要部分５に発生する衝撃を可及的に放射扇形状に分散させることができる。
【００３５】
なお、足置台２は、自重落下の急停止による衝撃を可能な限り踵へ伝達できる材質として軽量で硬い材料を使用することが望ましく、また、素足で載っても温かみを感じることができる材料として木材を用いているが、材質については特に限定されない。更に、足置台２の表面には、滑り止め機構として、例えば、足置台２の表面にエンボス加工等による凹凸を形成したり、ゴムシートやシリコンシート等の樹脂部材を貼着することが望ましい。
【００３６】
以上のように構成された本治療具１は、例えば図４に示すように爪先を略１８０°まで開いた状態で、患者の体重を含む自重落下によって踵から骨盤に衝撃を与えたときに最も効果を奏する。なお、ここでの略１８０°とは、各患者が開くことができる爪先の最大の角度を示したものであり、多くの場合１５０°〜１８０°の範囲となる。
【００３７】
ここで、本治療具１が歯の治療に及ぼす影響と簡単なメカニズム、及び実験機による結果について説明する。
【００３８】
発明者が提唱する歯の治療方法は、歯は体全体のコントロールを行なう中枢の一部であるとみなし、歯は人間の臓器の一部との考えに基づくものである。上あごの歯群と、下あごの歯群との咬み合わせを最適化すべき治療としては、上あごの歯群と下あごの歯群とで咬合紙を噛ませ、咬合面の着色を行ない、不均一な着色部を研削して咬合面が均一に着色されるまで研削を行なうとともに、例えば、左右の足首の位置ずれを測定し、左右の足首の位置ずれがなくなるまで咬合面の研削を行なうことで咬み合わせの状態を確認するようにしている。
【００３９】
咬合面の研削は、多くの場合、ミクロン（μ）オーダーの非常に微小なものである。咬合矯正を行うことによって、上下の顎や顎関節に付着している咀嚼筋群の筋肉の緊張バランスが変化する。その結果、それら咀嚼筋群に連動している骨盤や背骨に付着している全身の骨格筋群の筋肉の緊張バランスが変化し、不正な異常緊張が改善され、ストレスが改善され、それまであったそれら全身の骨格筋群の異常緊張によってもたらされていた筋肉の凝りや痛みが改善され、さらに、背骨の終点に位置する脳幹の機能が改善され、低体温や視力、平衡バランス機能の改善や指筋力の向上に示されるような全身的な不調や不定愁訴が改善される
【００４０】
しかし、咬合矯正の初期段階では、全身の骨格筋群の異常緊張は解消し、脳幹機能も改善され、全身の凝りや痛み、不調や不定愁訴は改善するが、一時的にそれまで平衡状態にあった、骨盤や背骨の歪みとそれらの歪みを引き起こしていた全身の骨格筋群との調和が崩れ、アンバランスな状態となる。これは、全身の骨格筋群が不正に異常緊張していたため、それに符合する骨盤や背骨の歪みを引き起こしていたものが、筋肉の異常緊張がなくなったため、歪んだ骨盤や背骨とは、不調和な状態となるのである。すなわち、骨盤や背骨等の骨は、筋肉よりも遅れて反応するのである。
【００４１】
従って、身体は調和を求めて、骨盤や背骨は歪みが是正された状態に変化しようとする。その変化によって、再び、骨盤や背骨に付着していた全身の骨格筋群のバランスは変化し、異常緊張を生じる。その変化はそれら筋肉群に連動する咀嚼筋群に伝えられ、顎に付着する咀嚼筋群もバランスが変化し、その結果、治療後に咬み合わせに問題なしとの結果を得ても、日常生活によって、咬合バランスが変化して咬合ズレが再度生起してしまう。
【００４２】
発明者は、頭蓋骨と連設した脊椎の土台である骨盤に衝撃を与えることで、顎骨を含む頭蓋骨を微妙に振動させることができることを見出した。更に、発明者は、骨盤への衝撃を比較的楽な姿勢で最も効率よく与えるためには、踵を揃えて両爪先を略１８０°（１５０°〜１８０°）開いた状態とすれば仙骨を囲繞する腸骨が外側に開くため、仙骨、及び恥骨による規制が緩んで頭蓋骨を支える脊椎が動きやすい状態になること、及びその状態で骨盤に衝撃を与えることを見出した。
【００４３】
すなわち、下肢の股関節の骨頭は腸骨に繋がっているため、踵への衝撃は腸骨を介して骨盤全体に振動を与え、ひいては脊椎全体に、更には、頭蓋骨へとその振動を伝えるのである。なお、骨盤は、腸骨、仙骨、恥骨によって構成されている。
【００４４】
また、発明者は、骨盤への振動付与の方法として、患者の体重を利用し、起立状態の患者の踵側を落下させ急停止させれば、体重に応じた重力が加速度的に衝撃として骨盤に伝わることを見出した。
【００４５】
以上のようなメカニズムにより、咬み合わせ治療後に本治療具を使用すれば、短期間で長期間経過後の咬合ズレと同じ咬合ズレを生起させることができるため、これを複数回繰り返せば短期間内で、咬合ズレが再発しないような正常な咬み合わせ治療を行なうことができる。
【００４６】
【表１】
0005898246.tif 000002
【００４７】
ここで、表１は、本治療具１と同機構で両足の爪先の開き角度を略０°から略１８０°まで可変して載置できる実験機を用いて、初期的に歯の切削を行い咬み合わせを矯正した初診患者に対し、両踵の内側距離を略７ｃｍ離した状態で揃え、爪先を略０°（両足裏が互いに平行状態）とした状態、爪先を略３０°開いた状態、及び爪先を略１８０°開いた状態で、１分間、２分間、３分間の使用をした後の歯の動きを確認した結果を示している。なお、各使用時間と開いた爪先の角度に応じた結果は、異なる初診患者各５人、合計３５人の患者の結果であり、○は５人全ての歯が動いたことを示し、×は５人全ての歯が動かなかったことを示している。
【００４８】
なお、ここでの略１８０°とは、各患者が開くことができる爪先の最大の角度を示したものであり、多くの場合１５０°〜１８０°の範囲となる。また、実験に際しては、各患者が可能な最大角度で爪先を開くことができるように膝を曲げて爪先を開き、その後、両脚を伸ばして揃えるようにして背筋を伸ばしつつ起立姿勢とした状態で評価を行っている。これは、本治療具１の使用時においても同様である。
【００４９】
表１からも明らかなように、爪先を略１８０°開いた状態であれば１分間使用するだけで歯の動きを発生させることができるが、略３０°以下であれば３分間使用しても歯を動かすことができなかった。なお、本結果は、後述する第二実施形態や変形例に係る歯の治療具１ａ，１ｂにおいても同様となる。
【００５０】
次に、本実施形態に係る歯の治療具１の各部の内部構造について詳述する。
【００５１】
図５は、本治療具１の内部機構を簡略的に示した平面図であり、図６（ａ）は、足置台２の要部分５が上昇した状態を示した図５におけるＡ−Ａ断面図であり、図６（ｂ）は、足置台２の要部分５が下降（落下）した状態を示した図５におけるＡ−Ａ断面図である。
【００５２】
本治療具１は、上下揺動自在に構成した足置台２の扇の要部分５が揺動する下方位置には揺動駆動手段６を配設し、揺動駆動手段６は、足置台２の扇の要部分５を強制的に持上げる上昇駆動部７と上昇した要部分５の支持解除により患者１００の体重を含む自重により降下する降下動部８とより構成し、降下動部８の下方に衝撃発生部９を設け、衝撃発生部９は、降下動部８の下方に設けた受台１０と扇の要部分５に垂設した当接体１１とより構成している。
【００５３】
上昇駆動部７は、プッシュプルソレノイド２０を使用し、プッシュプルソレノイド２０は足置台２の扇の要部分５の下方において基台４上に固定される。
【００５４】
プッシュプルソレノイド２０は、励磁させることでシャフト２１を上昇させ、励磁を解除することでシャフト２１を略無負荷とすることができ、上昇時に一般的な人の体重の略２分の１程度を保持可能なものが選定される。
【００５５】
プッシュプルソレノイド２０は、シャフト２１を上昇させたときに足置台２の扇の要部分５を上昇させ、シャフト２１を略無負荷とした状態、すなわち足置台２が下降端に位置した状態で足置台２が略水平となるような高さに配設される。
【００５６】
具体的には、プッシュプルソレノイド２０に形成された４つの雌ネジ孔２２に基台４の底面側から雄ネジ（図示せず）を螺着して固定するが、基台４の上面とプッシュプルソレノイド２０の底面との間隔を決める所定高さの筒状の固定筒２３を介在させ、固定筒２３に雄ネジを挿通するようにしてプッシュプルソレノイド２０を固定する。
【００５７】
なお、足置台２が下降端に位置した状態では、シャフト２１の先端と後述するシャフト先端受部３０との隙間は可能な限り近接するように配設することが望ましい。
【００５８】
また、プッシュプルソレノイド２０は、図示しない電源装置と制御回路部に接続されており、シャフト２１の上昇や無負荷の状態等が制御回路部によって制御され、これらの状態は、操作パネル１３によって操作される。
【００５９】
ここで、操作パネル１３は、例えば、図１に示すように、電源スイッチ２５、モード切換スイッチ２６、速度設定スイッチ２７、及びタイマー設定スイッチ２８等を備えている。
【００６０】
電源スイッチ２５をＯＮ状態にすることで、本治療具１の使用が可能となり、モード切換スイッチ２６によって左右の足置台２の扇の要部分５を交互に上下揺動させるか、同時に上下揺動させるかを選択でき、速度設定スイッチ２７によって上下揺動の速度を選択でき、更に、タイマー設定スイッチ２８によって上下揺動の動きを停止、または同時に電源をＯＦＦ状態とすることができる。
【００６１】
従って、本治療具１を使用する患者１００や医師等は、状況に応じて足置台２の上述した各挙動を任意に設定することができる。
【００６２】
降下動部８は、足置台２を載置可能な足置台ベース１６と、シャフト先端受部３０とで構成している。また、降下動部８は、扇の先縁部分３を中心に扇の要部分５を上下揺動させるために降下動部８と基台４とを回動自在とする回動支点部３２と連設している。
【００６３】
足置台ベース１６は、足置台２と略同形状であり、カバー１２の内部に配設され、プッシュプルソレノイド２０のシャフト２１の上昇、下降に応じて扇の先縁部分３を中心に扇の要部分５が上下揺動するように構成している。
【００６４】
足置台ベース１６は、足置台２、及び患者１００の体重を含む自重により降下する際の後述する衝撃発生部９による衝撃に耐え、しかも、プッシュプルソレノイド２０によるスムーズな上昇を可能とするために、軽量で高強度の材質、例えば、アルミニウム等の金属材料の使用が望まれる。
【００６５】
シャフト先端受部３０は、足置台ベース１６の裏面における扇の要部分５であって、プッシュプルソレノイド２０のシャフト２１の先端部が位置する箇所に設けられた円柱状の部品である。シャフト先端受部３０は、足置台ベース１６に直にシャフト２１の先端部が接触しないようにして足置台ベース１６の変形等を防止するためのものであり、ステンレス等の耐摩耗性に優れた材料を使用することが望ましい。
【００６６】
回動支点部３２は、足置台ベース１６の先縁部分３の下方の基台４上において、１つの扇の円弧両端近傍に立設し、上部に軸孔を有する軸止柱３３，３３と、足置台ベース１６の裏面における扇の先縁部分３であって、両軸止柱３３の対向する内側に各軸止柱３３に近接して設けられたベアリング（図示せず）を内設したガイド３４，３４と、両軸止柱３３の軸孔に挿入固定され、両ガイド３４のベアリングを介して軸通される枢軸３５とで構成している。従って、足置台ベース１６は、枢軸３５を中心にして回動自在となることで、扇の先縁部分３を中心に扇の要部分５を上下揺動可能となる。
【００６７】
衝撃発生部９の受台１０は円柱状に形成し基台４上に立設され、上昇駆動部７よりも更に外側に配設される。すなわち、扇の要部分５の端部近傍であって、患者１００の踵の真下に位置する。受台１０は、後述する当接体１１と激しく接触するため、耐摩耗性に優れたステンレス等の金属材料の使用が望ましく、更に、高硬度を備えることで踵への衝撃の伝播を向上させることができる。
【００６８】
当接体１１は、受台１０と対向する足置台ベース１６の底面に垂設し、受台１０よりも若干だけ外径が小さく高さが低い円柱状に形成されている。当接体１１は受台１０と激しく接触するため、耐摩耗性に優れたステンレス等の金属材料の使用が望ましく、更に、高硬度を備えることで踵への衝撃の伝播を向上させることができる。
【００６９】
なお、２つのプッシュプルソレノイド２０は、互いの周期を同じとすれば左右の踵を同時に昇降可能にすると共に、半周期ずらすことで左右の踵を相互に昇降させることができる。
【００７０】
このように、降下動部８の下方に衝撃発生部９を設けることで、足置台２が患者１００の体重を含む自重により降下する際に当接体１１が受台１０に衝突して足置台２の扇の要部分５に衝撃を付与することができる。
【００７１】
以上のように、第一実施形態に係る歯の治療具１は構成している。
【００７２】
このように構成することで、足置台２は回動支点部３２の枢軸３５を中心にして足置台２の扇の要部分５を上下揺動自在とし、プッシュプルソレノイド２０のシャフト２１が上昇することで患者１００を上昇させ、その状態からシャフト２１を無負荷の状態に切り替えることで足置台２、足置台ベース１６、及び患者１００の体重を含んだ状態でこれらを自重落下させることができる。更に、下降端では自重落下を受台１０と当接体１１とで瞬間的に停止させることになるため、自重落下の衝撃を踵から骨盤にかけて集中して付与することができる。
【００７３】
［第二実施形態］
次に、第一実施形態に係る歯の治療具１の上昇駆動部７にプッシュプルソレノイド２０ではなく、タペットカム３７を用いた第二実施形態について説明する。
【００７４】
なお、第二実施形態では上昇駆動部７以外の上述した他の構成については第一実施形態と共通するため、特に明示しない限り、上昇駆動部７以外の構成については説明を適宜省略する。
【００７５】
図７は、第二実施形態に係る本治療具１ａの内部機構を簡略的に示した平面図であり、図８（ａ）は、足置台２の要部分５が上昇した状態を示した図７におけるＢ−Ｂ断面図であり、図８（ｂ）は、足置台２の要部分５が下降（落下）した状態を示した図７におけるＢ−Ｂ断面図である。
【００７６】
上昇駆動部７は、作動半径が漸増し漸増部の終端３８にて崖状に急減するタペットカム３７と、タペットカム３７を回動駆動する駆動部３９とで構成している。
【００７７】
タペットカム３７は、図８（ａ）における側面視において回動軸４０を中心に反時計回りに回動するように構成している。また、足置台ベース１６の裏面には、タペットカム３７の漸増する作動半径の終端３８で崖状に急減する箇所４１が真上に位置する部分、すなわち、プッシュプルソレノイド２０を上昇駆動部７として用いた場合においてシャフト先端受部３０が配設された位置に相当する部分に先端部を円弧状としたカム受部４２を垂設している。
【００７８】
従って、タペットカム３７が回動することでタペットカム３７の作動半径の漸増に応じカム受部４２を下方から上昇させることができる。そしし、作動半径が最も大きくなった漸増部の終端３８でカム受部４２は最も高くなる。すなわち、足置台ベース１６の扇の要部分５が最も高い位置となる。また、漸増部の終端３８を越えるとタペットカム３７が急減するため、足置台２、足置台ベース１６、及び患者１００の体重を含む自重と共に落下する。落下した足置台２等は、衝撃発生部９によって落下が急停止され、患者１００の踵側に衝撃が付与される。
【００７９】
なお、タペットカム３７とカム受部４２は、患者１００の体重を支えながら摺動するため、耐摩耗性に優れ高硬度の材質、例えば、鋼材やステンレス等の金属材料の使用が望ましい。また、カム受部４２の先端部には、タペットカム３７の回動による摩擦を軽減させるためにベアリング４３を配設することが望ましい。
【００８０】
駆動部３９は、モータ軸プーリ４８を備えたモータ４４と無端状のベルト４５と回動軸プーリ４９を備えた回動軸４０と軸柱４６とで構成している。モータ４４は、基台４上の略中央において軸線方向を図７における左右方向として載置固定され、タペットカム３７を回動する動力となる。
【００８１】
回動軸４０は、モータ軸４７と同様に図７における左右方向に軸線方向を向け、左右足置台２の下方において扇の要部分５近傍に跨るようにして配設される。回動軸４０の両端部にはタペットカム３７が連設され、基台４上に立設した軸柱４６を両タペットカム３７の各内側近傍に軸架することでタペットカム３７を回動自在とする。なお、軸柱４６には回動軸４０と軸柱４６との摩擦を軽減するために、ベアリング（図示せず）を内設している。
【００８２】
また、モータ軸４７と回動軸４０との間にはベルト４５が張架され、ベルト４５を介してモータ４４の動力がモータ軸プーリ４８と回動軸プーリ４９によって回動軸４０に伝わり、回動軸４０に連設したタペットカム３７を回動させることができる。
【００８３】
以上のように構成することで、足置台２は回動支点部３２の枢軸３５を中心にして足置台２の扇の要部分５を上下揺動自在とし、タペットカム３７の作動半径の漸増に応じてカム受部４２を介して足置台ベース１６が上昇することで患者１００を上昇させ、その状態からカム受部４２が漸増部の終端３８を超えると、足置台２、足置台ベース１６、及び患者１００の体重を含んだ状態でこれらを自重落下させることができる。更に、下降端では自重落下を受台１０と当接体１１とで瞬間的に停止させることになるため、自重落下の衝撃を踵から骨盤にかけて集中して付与することができる。
【００８４】
なお、２つのタペットカム３７は、互いの終端３８位置を揃えることで左右の踵を同時に昇降可能にすると共に、１８０°ずらすことで左右の踵を相互に昇降させることができる。
【００８５】
以上のように、上述した第一実施形態に係る歯の治療具１、及び第二実施形態に係る歯の治療具１ａを用いることで、効果的に骨盤に衝撃を与えることができるため、短期間で長期間経過後の咬合ズレと同じ咬合ズレを生起させることができる。従って、咬合矯正と本治療具１，１ａの使用を複数回繰り返せば短期間内で、咬合ズレが再発しないような正常な咬み合わせ治療を行なうことができる。
【００８６】
また、左右足置台２を略扇形状としているため、患者１００の状態に応じて足の開き具合を略０°〜略１８０°まで任意に使用することができる。従って、骨盤に最も衝撃を与えて歯を最も短時間で動かすことができる略１８０°に足を開くことができない患者１００でも、可能な範囲で足を開いて使用することができる。
【００８７】
また、左右足置台２を略扇形状としているため、足置台２の扇の要部分５に発生する衝撃が可及的に放射扇形状に分散するため、矩形状や長円形状の足置台に比して爪先に与える衝撃を緩和することができる。従って、足置台２上に起立姿勢で載置した患者１００は、爪先を意識することなく踵に集中して本治療具１，１ａを使用することができる。
【００８８】
また、本治療具１，１ａによれば、爪先を開くに従って骨盤への衝撃を高めることができるため、歯の治療に限らず、健康器具としての使用も有効である。
【００８９】
［変形例］
次に、本第一・第二実施形態に係る歯の治療具１，１ａに手摺５０を付加した変形例について説明する。
【００９０】
なお、本変形例では上述した他の構成については共通するため、特に明示しない限り、共通する構成については説明を適宜省略する。
【００９１】
図９は本変形例に係る手摺５０を付加した本治療具１ｂの斜視図であり、図１０は本変形例に係る手摺５０を付加した本治療具１ｂを実際に使用している様子を示した図である。
【００９２】
本変形例に係る手摺５０は、基台４上面の４隅近傍に４つの脚部５１を立設し、後方（電源コンセント１４が配設されていない側）の角部間以外の隣接する角部間の脚部５１が上部において連設するように構成している。具体的には、開放側を下方へ向けた正面視略コ字状の前手摺５２を基台４上面の前方２箇所の角部近傍に立設し、側面視略逆Ｌ字状の２つの横手摺５３の一端部を基台４上面の後方２箇所の角部近傍に各々立設すると共に、他端部を前手摺５２の上部近傍に連結した構成としている。
【００９３】
手摺５０はパイプ状であり、強度の面から鉄やアルミニウム等の金属材料を用いることが望ましい。また、前手摺５２の上端部の高さは、本治療具１ｂの足置台２上に患者１００が起立姿勢で乗った際に、患者１００の腹部近傍に位置する高さが望ましく、横手摺５３の上端部の高さは、患者１００の腰近傍に位置する高さが望ましい。
【００９４】
なお、横手摺５３の脚部５１を基台４上に立設するために、カバー１２の上面に横手摺５３の脚部５１が挿入可能な孔を穿設し、カバー１２内にて基台４上に立設している。
【００９５】
以上のように手摺５０を構成することで、本治療具１ｂの足置台２上に患者が起立姿勢で乗り、踵の上下揺動を繰り返している際に身体の体勢が不安定になっても手摺５０を把持することで体制を安定させることができる。特に、図１０に示すように、爪先を略１８０度まで開いた状態で使用する際には体勢が不安定になり易いので、横手摺５３等を把持しながら使用することが望ましい。
【００９６】
また、足を開き難い患者であっても、手摺５０を把持することで爪先を開き易くなるため、可能な限り爪先を開くことで、咬合面の研削による歯の咬み合わせ治療後の短期間で長期間経過後の咬合ズレと同じ咬合ズレを生起させることができる。従って、咬合矯正と本治療具１ｂの使用を複数回繰り返せば短期間内で、咬合ズレが再発しないような正常な咬み合わせ治療を行なうことができる。
【００９７】
以上、説明したように、本発明に係る第一・第二実施形態、及び変形例に係る歯の治療具１，１ａ，１ｂは構成されており、本発明の好ましい実施形態を説明したが、本発明は係る特定の実施形態に限定されるものではなく、特許請求の範囲に記載された本発明の要旨の範囲内において、種々の変形・変更が可能である。
【符号の説明】
【００９８】
１    歯の治療具
１ａ  歯の治療具
１ｂ  歯の治療具
２    足置台
３    先縁部分
４    基台
５    要部分
６    揺動駆動手段
７    上昇駆動部
８    降下動部
９    衝撃発生部
１０    受台
１１    当接体
２０    プッシュプルソレノイド
３７    タペットカム
３８    終端
３９    駆動部
５０    手摺
１００    患者
【図１】
0005898246.tif 000003
【図２】
0005898246.tif 000004
【図３】
0005898246.tif 000005
【図４】
0005898246.tif 000006
【図５】
0005898246.tif 000007
【図６】
0005898246.tif 000008
【図７】
0005898246.tif 000009
【図８】
0005898246.tif 000010
【図９】
0005898246.tif 000011
【図１０】
0005898246.tif 000012